(57)【要約】植物を栽培するためのデバイスおよび方法。デバイスおよび方法は、草芝のディボットを修復するために使用され得る。デバイスは、土壌および種の混合物を収容する、水溶性フィルム表面を有するパケットを含む。例のデバイスは、パケット内に水収容デバイスを含む。パケットが地面、例えば、ディボットに配置され、および水を受けると、フィルムが溶解し、その結果、混合物は、地面との接触状態に入り、種は、発芽し始め、そして成長し始め得る。
2013517002.tif 000002
【特許請求の範囲】
【請求項１】
植物を栽培するためのパケットであって、該パケットは、
密閉されたバッグを規定する表面フィルムを含み、
該表面フィルムは、水溶性フィルムを含み、
該水溶性フィルムは、水との接触の際に溶解可能であり、
該表面フィルムは、混合物を囲み、
該混合物は、土壌と種とを含む、パケット。
【請求項２】
前記水溶性フィルムは、ポリビニルアルコール（ＰＶＯＨ）フィルムである、請求項１に記載のパケット。
【請求項３】
前記種は、草の種であり、前記植物は、草である、請求項１に記載のパケット。
【請求項４】
水を収容する水収容デバイスをさらに含み、
該水収容デバイスは、前記密閉されたバッグに収容されており、該水収容デバイスは、非水溶性フィルム表面を含む、請求項１に記載のパケット。
【請求項５】
前記水は、液体の水である、請求項４に記載のパケット。
【請求項６】
前記密閉されたバッグに収容される緑色の着色剤の染料をさらに含む、請求項１に記載のパケット。
【請求項７】
前記水溶性フィルムの少なくとも一部分は、緑色である、請求項１に記載のパケット。
【請求項８】
前記混合物は、砂を含む、請求項１に記載のパケット。
【請求項９】
前記混合物は、根覆いを含む、請求項１に記載のパケット。
【請求項１０】
前記混合物は、ウォーターゼリークリスタルを含む、請求項１に記載のパケット。
【請求項１１】
植物を栽培するためのパケットであって、該パケットは、
混合物を挟む１対の水溶性フィルムを含み、
該混合物は、土壌と種とを含み、
該１対の水溶性フィルムは、該混合物を封入するために熱融着される、パケット。
【請求項１２】
前記混合物は、砂を含む、請求項１１に記載のパケット。
【請求項１３】
前記混合物は、根覆いを含む、請求項１１に記載のパケット。
【請求項１４】
前記混合物は、ウォーターゼリークリスタルを含む、請求項１１に記載のパケット。
【請求項１５】
植物を栽培するための方法であって、該方法は、
混合物を収容する水溶性フィルムを含むパケットを提供することであって、該混合物は、土壌と種とを含み、該パケットは、水を収容する非水溶性フィルムの密閉されたバッグをさらに含む、ことと、
地面に該パケットを配置することと、
該水溶性フィルムの少なくとも一部分を溶解するために、該密閉されたバッグ内の該水が該水溶性フィルムと接触することを可能にするように、該密閉されたバッグを壊すことと、
該種の発芽を始めるために、該水が該混合物を湿らせることを可能にすることと
を含む、方法。
【請求項１６】
前記壊すステップは、ユーザーによってパケットを踏むことを含む、請求項１２に記載の方法。
【発明の詳細な説明】
【技術分野】
【０００１】
（関連出願への相互参照）
本出願は、２０１０年１月２０日に出願した米国仮出願第６１／２９６，７９４の利益を主張する。上記出願は、参照することによって本明細書において援用される。
【０００２】
（分野）
本記述は、概して、植物を栽培するためのデバイスおよび方法に関する。
【背景技術】
【０００３】
（背景）
植物を栽培する従来の方法は、手によって種を土壌内に配置することを必要とする。フィールドの損傷した部分に植物を栽培し、例えば、ゴルフコース上にゴルファーによって作られたディボットに草を栽培するための従来の方法は、手によって土壌と草の種との事前に混合された混合物をディボット内に注ぐことを含む。土壌と草の種との従来の混合物は、概して、ゴルフコースにおいてオンサイドで事前に混合される。ゴルフコースは、毎日最大数トンの混合物を使用し得ることが推定され、混合物を作るために、毎日約１６時間が費やされる。混合物を収容するボックスが、ゴルフカートで運搬され得る。混合物を収容するボックスが、ゴルフバッグで運搬され得る。従来の方法において、ディボットを充填することは、ボックスから混合物をすくい上げ、そして混合物をディボット内に広げることを要求する。
【発明の概要】
【課題を解決するための手段】
【０００４】
（簡単な要約）
実施形態のデバイスは、植物を栽培するためのパケットであり、パケットは、パケットを規定する表面フィルムを含み、表面フィルムは、水溶性フィルムを含む。水溶性フィルムは、水との接触の際に溶解可能であり、表面フィルムは、混合物を囲む。混合物は、土壌と種とを含む。パケットの実施形態は、ポリビニルアルコール（ＰＶＯＨ）フィルムである水溶性フィルムを含む。パケットの実施形態は、草を栽培するための混合物内に草の種を含む。パケットの実施形態は、水を収容する水収容デバイスをさらに含み、水収容デバイスは、パケットに収容されており、水収容デバイスは、非水溶性フィルム表面を含む。水は、液体の水である。水は、ヒドロゲルに吸収され得る。パケットの実施形態は、パケットに収容される緑色の着色剤の染料をさらに含む。パケットの実施形態は、パケットの表面をさらに含み、水溶性フィルムの少なくとも一部分は、緑色である。
【０００５】
デバイスの実施形態は、植物を栽培するためのパケットであり、パケットは、混合物を挟む１対の水溶性フィルムを含み、混合物は、土壌と種とを含む。１対の水溶性フィルムは、混合物を封入するために熱融着される。
【０００６】
混合物は、砂、根覆い、および／またはウォーターゼリークリスタル（ｗａｔｅｒ  ｊｅｌｌｙ  ｃｒｙｓｔａｌ）のうちの１つ以上を含み得る。
【０００７】
植物を栽培するための実施された方法は、混合物を収容する水溶性フィルムを含むパケットを提供することであって、混合物は、土壌と種とを含み、パケットは、水を収容する非水溶性フィルムの密閉されたバッグをさらに含む、ことと、地面にパケットを配置することと、水溶性フィルムの少なくとも一部分を溶解するために、密閉されたバッグ内の水が水溶性フィルムと接触することを可能にするように、密閉されたバッグを壊すことと、種の発芽を始めるために、水が混合物を湿らせることを可能にすることとを含む。方法は、非水溶性密閉されたバッグを壊すために、ユーザーによってパケットを踏むことを含み得る。
【図面の簡単な説明】
【０００８】
【図１】図１は、例示的なパケットの上面図を示す図面である。
【図２】図２は、図１に示されるパケットの前面図を示す図面である。
【図３】図３は、図１に示されるパケットの側面図を示す図面である。
【図４】図４は、例示的なパケットの上面図を示す図面である。
【図５】図５は、図４に示されるパケットの前面図を示す図面である。
【図６】図６は、図４に示されるパケットの側面図を示す図面である。
【図７】図７は、例示的なパケットの上面図を示す図面である。
【図８】図８は、図７に示されるパケットの前面図を示す図面である。
【図９】図９は、図７に示されるパケットの側面図を示す図面である。
【図１０】図１０は、例示的なパケットを示す図面である。
【図１１】図１１は、例示的なパケットを示す図面である。
【図１２】図１２は、例示的なパケットを示す図面である。
【図１３】図１３は、図１２に示されるパケットの側面図を示す図面である。
【発明を実施するための形態】
【０００９】
（詳細な説明）
用語「植物」は、草、草木、花、植物、木、および／または他の非動物の生き物を含むように、本明細書において使用される。
【００１０】
植物を栽培するためのデバイスおよび方法が、本明細書に説明される。デバイスは、材料の混合物を収容するパケットの形態であり得る。実施形態は、水溶性フィルムを有するパケットを含む。パケットは、植物を栽培し、そして／または損傷した草芝を修復するために使用され得る材料の混合物を含む。フィルムは、水溶性ポリビニルアルコール（ＰＶＯＨ）フィルムであり得る。
【００１１】
材料の混合物の実施形態は、種、土壌、および１つ以上の他の構成要素を含む。他の構成要素は、砂、根覆い、ウォーターゼリークリスタル（ヒドロゲル）、および１つ以上のカラー染料を含む。草炭は、混合物に使用され得る根覆いの具体的な例である。緑色の染料は、混合物に使用され得るカラー染料の色の具体的な例である。ブラウンの染料は、混合物に使用され得るカラー染料の色の具体的な例である。緑色の染料とブラウンの染料との組み合わせが、混合物に含まれ得る。他の色（例えば、赤、橙、黄、および他の色）およびそれらの組み合わせが混合物に使用され得る。混合物の実施形態は、種、土壌および砂を含む。混合物の実施形態は、種、土壌、および根覆いを含む。混合物の実施形態は、種、土壌、およびウォーターゼリークリスタルを含む。混合物の実施形態は、種、土壌、および１つ以上のカラー染料を含む。混合物の実施形態は、種、土壌、砂、および根覆いを含む。混合物の実施形態は、種、土壌、砂、およびウォーターゼリークリスタルを含む。混合物の実施形態は、種、土壌、砂、および１つ以上のカラー染料を含む。混合物の実施形態は、種、土壌、根覆い、およびウォーターゼリークリスタルを含む。混合物の実施形態は、種、土壌、根覆い、および１つ以上のカラー染料を含む。混合物の実施形態は、種、土壌、ウォーターゼリークリスタル、および１つ以上のカラー染料を含む。混合物の実施形態は、種、土壌、根覆い、およびウォーターゼリークリスタルを含む。混合物の実施形態は、種、土壌、根覆い、ウォーターゼリークリスタル、および１つ以上のカラー染料を含む。混合物の実施形態は、種、土壌、草炭、およびウォーターゼリークリスタルを含む。混合物の実施形態は、種、土壌、砂、草炭、およびウォーターゼリークリスタルを含む。材料の混合物の実施形態は、２〜６個の構成要素を含む。混合物の実施形態は、７つ以上の構成要素を含む。
【００１２】
種は、草の種であり得る。種は、草木の種であり得る。種は、草の種と他の草木の種との組み合わせであり得る。
【００１３】
実施形態において、ウォーターゼリークリスタルは、デバイスの使用の前に、混合物内において種と混合されている場合には乾燥している。実施形態において、混合物は、デバイスの使用の前には乾燥している。
【００１４】
パケットの実施形態において、水収容デバイスが、パケット内に含まれる。水収容デバイスは、水を混合物から分離した状態に保つために防水バリアを有し得る。水収容デバイスは、容器、例えば、バッグまたは小袋であり得る。水収容デバイスは、水収容ポリマーであり得る。水収容デバイスは、１つ以上の湿ったウォーターゼリークリスタルを収容するバッグであり得る。湿ったウォーターゼリークリスタルは、吸収された水を有するウォーターゼリークリスタルを意味するように本明細書において使用される。水収容デバイスは、開放するように動作され得る非水溶性フィルムによって囲まれる１つ以上の湿ったウォーターゼリークリスタルであり得る。水収容デバイスは、水を混合物から分離した状態に保持するように構成される。実施形態において、水収容デバイスは、小袋であり、液体の水が、小袋に収容される。例えば、パケットを踏むことによって小袋を壊し開けることによって、水は、混合物と混合され、またパケットの水溶性フィルムを溶解する。一旦水溶性フィルムが溶解し始めると、パケット内の混合物は、地面と接触し、混合物の種から植物を栽培することの発芽プロセスを始める。水溶性ＰＶＯＨフィルムは、それが水との接触状態に入ると、急速に溶解する。
【００１５】
パケットは、より速い発芽を確保するために、必要とされた所定の量の混合物と混合物内の構成要素とを提供する。パケットの所定の量の混合物および混合物内の構成要素は、地面の平らな範囲に提供し得る。パケットは、草を栽培し、および／または芝の損傷したエリアを修復するためのよりきれいで、かつより環境に優しい方法を提供し得る。パケットは、家庭カーデニングのために使用され得る。種は、花の種、または草木、植物、および／または異なる種類の植物の混合物を栽培するための他の種類の植物の種であり得る。
【００１６】
図１〜３は、実施形態に従うパケット１００を示す。パケット１００は、土壌１０４および種１０６を含む混合物１０２を収容する。混合物１０２はまた、前述の材料の混合物のための構成要素を含み得る。パケット１００は、密閉されたバッグであり、密閉されたバッグの少なくとも一部分は、水溶性フィルム１１０を含む。全パケット１００は、水溶性フィルム１１０で作られ得る。水溶性フィルム１１０の例は、ＰＶＯＨフィルムである。混合物１０２を収容するパケット１００が、例えば、草芝の損傷した部分上に配置されると、水溶性フィルム１１０は、空気内の水蒸気および／またはフィルム１１０に吹きかけられた水によって溶解される。次に、フィルム１１０が溶解するにつれて、種１０６は、草芝のスクレープまたはディボットを充填し、および修復するように、発芽し、そして成長して草になることができる。パケット１００は、ディスペンサー内に格納され、そしてユーザーに分配され得る。
【００１７】
ユーザーは、１つ以上のパケット１００を運送し、そして／またはそれらをディスペンサー内に格納し得る。次に、ユーザーは、草芝のスクレープまたはディボットの中にパケット１００を配置し得、水が水溶性フィルム１１０を溶解するためにパケット１００と接触することを可能にし得る。水は、空気内の水分から、または雨、霧から、またはスプリンクラーシステムまたは他の機械的手段を介して提供され得る。水は、種１０６の発芽を加速させ、その結果、種１０６からの新しい草が、生長して、芝を充填し、および修復するようになる。
【００１８】
図４〜６は、実施形態に従うパケット２００を示す。パケット２００は、混合物２０２を収容する。混合物２０２は、土壌２０４および種２０６を含む。混合物２０２はまた、前述の材料の混合物のための構成要素を含み得る。パケット２００は、密閉されたバッグであり、密閉されたバッグの少なくとも一部分は、水溶性フィルム２１０を含む。全パケット２００は、水溶性フィルム２１０で作られ得る。水溶性フィルムの例は、ＰＶＯＨフィルムである。パケット２００は、水収容デバイス２２０を含む。実施形態において、水収容デバイス２２０は、非水溶性フィルム２２２で作られる密閉されたバッグであり、非水溶性フィルム２２２がデバイス２２０内に液体の水２２４を収容する。水収容デバイス２２０が、パケット２００内に収容される。ユーザーが、液体の水２２４が混合物２０２および／またはパケット２００の水溶性フィルム２１０との接触状態に入ることを望むまでに、非水溶性フィルム２２２は、このような接触を防止する。実施形態において、水収容デバイス２２０は、１つ以上の湿ったウォーターゼリークリスタルを収容する非水溶性フィルム２２２の密閉されたバッグを含む。
【００１９】
ユーザーがパケット２００を使用したい場合に、パケット２００が、所望のエリアに配置される。ユーザーは、液体の水２２４が水収容デバイス２２０から出て、水溶性フィルム２１０との接触状態を作るようにさせる。ユーザーは、例えば、パケット２００を踏むことによってこれを引き起こし得、その結果、非水溶性フィルム２２２を有する水収容デバイス２２０が壊れ、デバイス２２０内に収容される水２２４が漏出し、パケット２００の水溶性フィルム２１０と接触することを可能にする。代替的には、ユーザーは、水２２４がパケット２００の水溶性フィルム２１０と接触することを可能にするために、パケット２００を折り畳み、そして／または曲げて、従って、水収容デバイス２２０の少なくとも一部分を壊すことができる。水溶性フィルム２１０への水２２４の接触は、水溶性フィルム２１０を溶解する。水２２４はまた、混合物２０２を湿らせて、混合物２０２内の種２０６の発芽を始め得る。
【００２０】
図７〜９は、実施形態に従うパケット３００を示す。パケット３００は、混合物３０２を収容する。混合物３０２は、土壌３０４、種３０６、および前述の任意の他の構成要素を含む。パケット３００は、混合物３０２を挟む１対の水溶性フィルム３１０、３１１から作成される。フィルム３１０、３１１は、パケット３００のエッジまたは複数のエッジに沿って熱融着される。水収容デバイス３２０が、混合物３０２の中心に、またはその付近に提供される。パケット３００の一体性を維持することを助けるために、パケット３００のエッジ３１２または複数のエッジ３１２、３１４を熱融着する前に、パケット３００が減圧される。減圧および熱融着は、パケット３００に堅さを提供する。水収容デバイス３２０が、パケット３００内に収容される。ユーザーが、水が混合物３０２および／またはパケット３００の水溶性フィルム３１０、３１１との接触状態に入ることを望むまでに、非水溶性フィルム３２２は、このような接触を防止する。実施形態において、水収容デバイス３２０は、１つ以上の湿ったウォーターゼリークリスタルを収容する非水溶性フィルム３２２の密閉されたバッグを含む。
【００２１】
パケット１００、２００、３００は、ユーザーによって携帯可能な大きさを有することが企図される。実施されたパケット１００、２００、３００は、ユーザーの１つの手によって使用可能な大きさを有する。実施形態において、パケット１００、２００、３００は、前面から見て実質的に長方形である。
【００２２】
図１０は、実施形態に従う長方形のパケット４００の前面図を示す。パケット４００は、水溶性フィルム４０２と２つの熱融着されたエッジ４０４、４０６とを含み、かつそれらによって規定される。パケット４００は、土壌、種、および前述の他の構成要素を含む材料の混合物を含み得る。パケット４００はまた、図４〜９に示されるパケットと同様に、水収容デバイスを含み得る。パケット４００は、パケット４００のエッジ４０４、４０６のうちの１つを熱融着する前に減圧される。
【００２３】
図１１は、実施形態に従う正方形のパケット５００の前面図を示す。パケット５００は、水溶性フィルム５０２と２つの熱融着されたエッジ５０４、５０６とを含み、かつそれらによって規定される。パケット５００は、土壌、種、および前述の他の構成要素を含む材料の混合物を含み得る。パケット５００はまた、図４〜９に示されるパケットと同様に、水収容デバイスを含み得る。パケット５００は、パケット５００のエッジ５０４、５０６のうちの１つを熱融着する前に減圧される。
【００２４】
図１２および１３は、それぞれ、実施形態に従うパケット６００の前面図および側面図を示す。パケット６００は、２つの水溶性フィルム６０２、６０４を含み、２つの水溶性フィルム６０２、６０４は、前方（または後方）から見る場合に円形を有し、熱融着された周囲エッジ６０６で一緒に接続される。パケット６００は、前述の材料の混合物を含む。パケット６００はまた、図４〜９に示されるパケットと同様に、水収容デバイスを含み得る。パケット６００は、パケット６００のエッジ６０６の熱融着を完成する前に減圧される。
【００２５】
実施形態は、本明細書において説明された。当業者は、本発明の同等物の全範囲を含む、請求され、かつ開示された本発明の範囲から逸脱することなしに、さまざまな変更および代替が可能であることを認識する。
【図１】
2013517002.tif 000003
【図２】
2013517002.tif 000004
【図３】
2013517002.tif 000005
【図４】
2013517002.tif 000006
【図５】
2013517002.tif 000007
【図６】
2013517002.tif 000008
【図７】
2013517002.tif 000009
【図８】
2013517002.tif 000010
【図９】
2013517002.tif 000011
【図１０】
2013517002.tif 000012
【図１１】
2013517002.tif 000013
【図１２】
2013517002.tif 000014
【図１３】
2013517002.tif 000015
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
植物を栽培するためのパケットであって、該パケットは、
密閉されたバッグを規定する表面フィルムであって、該表面フィルムは、水溶性フィルムを含み、該水溶性フィルムは、水との接触の際に溶解可能であり、該表面フィルムは、乾燥した混合物を囲み、該乾燥した混合物は、土壌と種とを含む、表面フィルムと、
水を収容する水収容デバイスであって、該水収容デバイスは、該密閉されたバッグに収容されており、該水収容デバイスは、非水溶性フィルム表面を含む、水収容デバイスと
を含む、パケット。
【請求項２】
前記水溶性フィルムは、ポリビニルアルコール（ＰＶＯＨ）フィルムである、請求項１に記載のパケット。
【請求項３】
前記種は、草の種であり、前記植物は、草である、請求項１に記載のパケット。
【請求項４】
前記水は、液体の水である、請求項１に記載のパケット。
【請求項５】
前記密閉されたバッグに収容される緑色の着色剤の染料をさらに含む、請求項１に記載のパケット。
【請求項６】
前記乾燥した混合物は、砂を含む、請求項１に記載のパケット。
【請求項７】
前記乾燥した混合物は、根覆いを含む、請求項１に記載のパケット。
【請求項８】
前記乾燥した混合物は、ウォーターゼリークリスタルを含む、請求項１に記載のパケット。
【請求項９】
植物を栽培するためのパケットであって、該パケットは、
乾燥した混合物を挟む１対の水溶性フィルムを含み、
該乾燥した混合物は、土壌と種とウォーターゼリークリスタルとを含み、
該１対の水溶性フィルムは、該乾燥した混合物を封入するために熱融着される、パケット。
【請求項１０】
前記乾燥した混合物は、砂を含む、請求項９に記載のパケット。
【請求項１１】
前記乾燥した混合物は、根覆いを含む、請求項９に記載のパケット。
【手続補正２】
【補正対象書類名】明細書
【補正対象項目名】０００７
【補正方法】変更
【補正の内容】
【０００７】
植物を栽培するための実施された方法は、混合物を収容する水溶性フィルムを含むパケットを提供することであって、混合物は、土壌と種とを含み、パケットは、水を収容する非水溶性フィルムの密閉されたバッグをさらに含む、ことと、地面にパケットを配置することと、水溶性フィルムの少なくとも一部分を溶解するために、密閉されたバッグ内の水が水溶性フィルムと接触することを可能にするように、密閉されたバッグを壊すことと、種の発芽を始めるために、水が混合物を湿らせることを可能にすることとを含む。方法は、非水溶性密閉されたバッグを壊すために、ユーザーによってパケットを踏むことを含み得る。
例えば、本願発明は以下の項目を提供する。
（項目１）
植物を栽培するためのパケットであって、該パケットは、
密閉されたバッグを規定する表面フィルムを含み、
該表面フィルムは、水溶性フィルムを含み、
該水溶性フィルムは、水との接触の際に溶解可能であり、
該表面フィルムは、混合物を囲み、
該混合物は、土壌と種とを含む、パケット。
（項目２）
前記水溶性フィルムは、ポリビニルアルコール（ＰＶＯＨ）フィルムである、項目１に記載のパケット。
（項目３）
前記種は、草の種であり、前記植物は、草である、項目１に記載のパケット。
（項目４）
水を収容する水収容デバイスをさらに含み、
該水収容デバイスは、前記密閉されたバッグに収容されており、該水収容デバイスは、非水溶性フィルム表面を含む、項目１に記載のパケット。
（項目５）
前記水は、液体の水である、項目４に記載のパケット。
（項目６）
前記密閉されたバッグに収容される緑色の着色剤の染料をさらに含む、項目１に記載のパケット。
（項目７）
前記水溶性フィルムの少なくとも一部分は、緑色である、項目１に記載のパケット。
（項目８）
前記混合物は、砂を含む、項目１に記載のパケット。
（項目９）
前記混合物は、根覆いを含む、項目１に記載のパケット。
（項目１０）
前記混合物は、ウォーターゼリークリスタルを含む、項目１に記載のパケット。
（項目１１）
植物を栽培するためのパケットであって、該パケットは、
混合物を挟む１対の水溶性フィルムを含み、
該混合物は、土壌と種とを含み、
該１対の水溶性フィルムは、該混合物を封入するために熱融着される、パケット。
（項目１２）
前記混合物は、砂を含む、項目１１に記載のパケット。
（項目１３）
前記混合物は、根覆いを含む、項目１１に記載のパケット。
（項目１４）
前記混合物は、ウォーターゼリークリスタルを含む、項目１１に記載のパケット。
（項目１５）
植物を栽培するための方法であって、該方法は、
混合物を収容する水溶性フィルムを含むパケットを提供することであって、該混合物は、土壌と種とを含み、該パケットは、水を収容する非水溶性フィルムの密閉されたバッグをさらに含む、ことと、
地面に該パケットを配置することと、
該水溶性フィルムの少なくとも一部分を溶解するために、該密閉されたバッグ内の該水が該水溶性フィルムと接触することを可能にするように、該密閉されたバッグを壊すことと、
該種の発芽を始めるために、該水が該混合物を湿らせることを可能にすることと
を含む、方法。
（項目１６）
前記壊すステップは、ユーザーによってパケットを踏むことを含む、項目１２に記載の方法。
【国際調査報告】
2013517002.tif 000016
2013517002.tif 000017